(57)【要約】【課題】各被写体の撮影回数を把握できるようにする。【解決手段】ＩＣタグリーダ１２３は、ＣＰＵ１００がＳ２ＯＮ信号を検知したことに応じ、ＩＣタグセンサ１２１の受信した無線信号からＩＣタグ２に記録されている被写体ＩＤを読み出してＣＰＵ１００に出力する。被写体ＩＤを読み出した回数は、被写体の撮影回数として、被写体ＩＤに対応づけられてＲＡＭ１０４に記憶される。即ち、同一の被写体ＩＤを読み取る度に、その被写体ＩＤに対応する撮影回数をインクリメントして記憶する。モニタ３０には各被写体ＩＤに対応する撮影回数を表示してもよい。【選択図】  図１
2006174010.tif 000002
【特許請求の範囲】
【請求項１】
被写体を撮像する撮像部と、
前記被写体に取り付けられた無線発信器からの無線信号を受信する無線受信部と、
前記撮像部による被写体の撮像に応じ、前記無線発信器から受信した無線信号から前記無線発信器に予め記録された被写体の識別情報を読み取る読取部と、
前記被写体の識別情報を読み取った回数を前記被写体の撮影回数として記憶する記憶部と、
を備える撮像装置。
【請求項２】
前記被写体の撮影回数を送受信する通信部をさらに備え、
前記記憶部は前記受信した被写体の撮影回数を記憶する請求項１に記載の撮像装置。
【請求項３】
前記被写体の撮影回数を表示する表示部をさらに備える請求項１又は２に記載の撮像装置。
【請求項４】
前記被写体に対応する目標撮影回数を設定する設定部をさらに備え、
前記表示部は前記被写体の撮影回数に応じて前記目標撮影回数までの残りの撮影回数を表示する請求項３に記載の撮像装置。
【請求項５】
前記無線発信器はＩＣタグである請求項１〜４のいずれかに記載の撮像装置。
【請求項６】
被写体を撮像する撮像部と、前記被写体に取り付けられた無線発信器からの無線信号を受信する無線受信部と、前記撮像部による被写体の撮像に応じ、前記無線発信器から受信した無線信号から前記無線発信器に予め記録された被写体の識別情報を読み取る読取部と、前記被写体の識別情報を読み取った回数を前記被写体の撮影回数として記憶する記憶部と、前記撮像部の撮像した被写体の画像を送信する送信部とを備える撮像装置と、
前記送信部と接続され、前記送信部から送信された画像をプリントするプリンタと、
を備えるプリントシステム。
【発明の詳細な説明】
【技術分野】
【０００１】
本発明は撮像装置に係り、特に被写体の撮影回数を記憶する撮像装置に関する。
【背景技術】
【０００２】
被写体の追尾を行う技術としては、次の特許文献１及び２が挙げられる。特許文献１によると、駅の改札口に設けられた識別手段により改札口内への進入者の中から所定の監視対象条件を満たす監視対象者を識別し、識別された監視対象者のホーム内での動きを追跡手段によって追跡し、その追跡情報から監視対象者の危険を検知して警報手段により警報信号を出力する。
【０００３】
特許文献２の撮像・監視手段は、被撮像・監視対象の移動体が存在することを該移動体側から伝えるための識別信号を受信する手段を備え、識別信号を認識した際に発信方向を判別して被撮像・監視対象を追尾しつつ撮像・監視を行い、該撮像・監視手段の出力信号を録画する。
【特許文献１】特開２００３−２２４８４４号公報
【特許文献２】特開２００３−３１７１６９号公報
【発明の開示】
【発明が解決しようとする課題】
【０００４】
ところで、運動会や遠足などの各種イベントにおいて出席者を撮影する際、カメラマンの感覚で特定の出席者の撮影回数が多いか少ないかを判断して撮影を行った結果、ある出席者の写った写真が全くないか少ないままイベントが終了し、写真を希望する出席者に不満を持たせることがある。この点、特許文献１及び２の技術では、単に被写体を追尾するだけであり、ある被写体を撮影した回数が多いか少ないかまでは把握できない。本発明はこのような問題点に鑑みてなされたもので、各被写体の撮影回数を把握できるようにすることを目的とする。
【課題を解決するための手段】
【０００５】
上述の課題を解決するため、本発明に係る撮像装置は、被写体を撮像する撮像部と、被写体に取り付けられた無線発信器からの無線信号を受信する無線受信部と、撮像部による被写体の撮像に応じ、無線発信器から受信した無線信号から無線発信器に予め記録された被写体の識別情報を読み取る読取部と、被写体の識別情報を読み取った回数を被写体の撮影回数として記憶する記憶部と、を備える。
【０００６】
この撮像装置では、各被写体を撮影した回数が記憶されるため、どの被写体を何回撮影したかを撮影者が把握でき、所望の被写体を所望の回数確実に撮影できる。なお、無線発信器とは、例えばＩＣタグである。
【０００７】
この撮像装置は被写体の撮影回数を送受信する通信部をさらに備えてもよく、記憶部は受信した被写体の撮影回数を記憶するようにしてもよい。
【０００８】
こうすることで、撮像装置同士で被写体の撮影回数を共有できる。
【０００９】
被写体の撮影回数をＬＣＤなどの各種表示手段に表示してもよい。こうすれば、撮影者が被写体の撮影回数を容易に把握できる。
【００１０】
この撮像装置は被写体に対応する目標撮影回数を設定する設定部をさらに備え、被写体の撮影回数に応じて目標撮影回数までの残りの撮影回数を表示してもよい。
【００１１】
こうすることで、予め設定した目標の撮影回数までどれだけ撮影すればよいかを撮影者が把握できる。
【００１２】
被写体を撮像する撮像部と、被写体に取り付けられた無線発信器からの無線信号を受信する無線受信部と、撮像部による被写体の撮像に応じ、無線発信器から受信した無線信号から無線発信器に予め記録された被写体の識別情報を読み取る読取部と、被写体の識別情報を読み取った回数を被写体の撮影回数として記憶する記憶部と、撮像部の撮像した被写体の画像を送信する送信部とを備える撮像装置と、送信部と接続され、送信部から送信された画像をプリントするプリンタと、を備えるプリントシステムを構築してもよい。
【発明の効果】
【００１３】
この撮像装置では、各被写体を撮影した回数が記憶されるため、どの被写体を何回撮影したかを撮影者が把握でき、所望の被写体を所望の回数確実に撮影できる。
【発明を実施するための最良の形態】
【００１４】
以下、添付した図面を参照し本発明の好ましい実施の形態を説明する。
【００１５】
［概略構成］
図１は、本発明の好ましい実施形態に係るカメラ１０の使用状態を示している。カメラ１０は，所定の場所（運動会、遠足、演劇会、お遊戯会、入学式、卒業式、結婚式、遊園地など）において画像を撮影する際，どの被写体を何回撮影したかを把握できるようにする。
【００１６】
同等の構成を有するカメラ１０ａ，ｂ，ｃ・・（まとめてカメラ１０で表す）は近距離無線（たとえば，２．４ＧＨｚの帯域を用いる無線伝送方式）の通信インターフェイスを備えており，互いに近距離無線の範囲内にあれば通信可能である。
【００１７】
カメラ１０で撮影すべき被写体には、所定の場所で撮影を開始する前に被写体の固有の識別情報（以下被写体ＩＤという）を記憶したＩＣタグ２ａ，ｂ，ｃ・・（まとめてＩＣタグ２で表す）を配布し、各被写体にＩＣタグ２を取り付けておく。
【００１８】
カメラ１０は、各被写体に取り付けられたＩＣタグ２と通信するアンテナ１３０を有し、被写体の撮影時にＩＣタグ２に予め記録されている被写体ＩＤをＩＣタグ２から読み出し、各被写体ＩＤを読み出した回数を該被写体ＩＤで識別される被写体の撮影回数として記憶する。各カメラ１０に記憶された被写体の撮影回数は互いに近距離無線通信を行うことで送受信され、リアルタイムに共有される。カメラ１０同士だけでなく、カメラ１０と有線又は無線接続されたパソコンやプリンタなどの各種ネットワーク機器に撮影回数を送信し、各種ネットワーク機器で撮影回数を共有してもよい。
【００１９】
図２は、本発明の好ましい実施形態に係るカメラ１０の内部の概略構成を示すブロック図である。同図において、ＣＰＵ１００は、本カメラシステムの各回路を統括制御する制御部であり、ＲＯＭ１０２及びＲＡＭ１０４等の記憶手段を備えている。ＲＯＭ１０２には、ＣＰＵ１００が処理するプログラム及び制御に必要な各種データ等が格納され、ＲＡＭ１０４は、ＣＰＵ１００が各種の演算処理等を行う際の作業用エリアとして利用される。ＲＯＭ１０２はデータの消去／書き込みが可能なフラッシュＲＯＭで構成される。
【００２０】
ＣＰＵ１００は、レリーズボタン、電源ボタン、ストロボボタン、マクロボタン、ズームレバー、表示ボタン、ＢＡＣＫボタン、マークボタン、メニュー／ＯＫボタン、十字ボタン、モードスイッチ等からなる操作部１０６から出力された操作信号に基づき対応する回路の動作を制御し、レンズ駆動制御、撮影動作制御、画像処理制御、画像データの記録／再生制御、モニタ３０の表示制御などを行うとともに、自動露出（ＡＥ）演算、自動焦点調節（ＡＦ）演算、ホワイトバランス（ＷＢ）調整演算などの各種演算処理を実行する。
【００２１】
レンズ１４を通過した光は、ＣＣＤイメージセンサ（ＣＣＤ）１０８に入射する。ＣＣＤ１０８の受光面には、フォトセンサが平面的に配列されており、レンズ１４を介してＣＣＤ１０８の受光面に結像された被写体の光学像は、各フォトセンサによって入射光量に応じた量の信号電荷に変換される。各フォトセンサに蓄積された信号電荷は、図示しないタイミングジェネレータから与えられる駆動パルスに基づいて信号電荷に応じた電圧信号（画像信号）として順次読み出され、アナログ信号処理部１１０に送られる。
【００２２】
アナログ信号処理部１１０は、サンプリングホールド回路、色分離回路、ゲイン調整回路、Ａ／Ｄ変換器等の信号処理回路を含み、このアナログ信号処理部１１０で入力された画像信号が、相関二重サンプリング処理並びにＲ、Ｇ、Ｂの各色信号に色分離処理され、各色信号の信号レベルの調整（プリホワイトバランス処理）が行われる。そして、デジタルの画像信号に変換されてＲＡＭ１０４に格納される。
【００２３】
ＲＡＭ１０４に格納された画像信号は、画像信号処理部１１２に送られる。画像信号処理部１１２は、輝度・色差信号生成回路、ガンマ補正回路、シャープネス補正回路、コントラスト補正回路、ホワイトバランス補正回路等を含むデジタルシグナルプロセッサ（ＤＳＰ）で構成され、ＣＰＵ１００からのコマンドに従って入力された画像信号を処理する。この画像信号処理部１１２に入力された画像信号は、輝度信号（Ｙ信号）及び色差信号（Ｃr,Ｃb 信号）に変換されるとともに、ガンマ補正等の所定の処理が施された後、ＲＡＭ１０４に格納される。ＲＡＭ１０４に格納された画像データは、表示部１１４に入力される。表示部１１４は入力された画像データを表示用の所定方式の信号（例えば、ＮＴＳＣ方式のカラー複合映像信号）に変換してモニタ３０に出力する。
【００２４】
ＣＣＤ１０８から出力される画像信号によってＲＡＭ１０４内の画像データが定期的に書き換えられ、その画像データから生成される映像信号がモニタ３０に供給されることにより、ＣＣＤ１０８を介して入力される画像がリアルタイムにモニタ３０に表示される。撮影者は、このモニタ３０に映し出される画像（スルー画像）によって撮影画角を確認することができる。
【００２５】
なお、表示部１１４は、ＯＳＤ信号発生回路を含み、ＯＳＤ信号発生回路はＣＰＵ１００からのコマンドに従ってシャッタ速度や絞り値、撮影可能枚数、撮影日時、警告メッセージ、オートフォーカスフレーム（ＡＦ）等の文字及び記号情報を表示するための信号を発生させる。このＯＳＤ信号発生回路から出力される信号は、必要に応じて画像信号に混合されて、モニタ３０に供給される。これにより、スルー画像や再生画像に文字等が合成された合成画像が表示される。
【００２６】
モードスイッチにてカメラのモードが撮影モードに設定されると、カメラ１０は撮影が可能になる。この状態でレリーズボタンが半押しされると、ＣＰＵ１００にＳ１ＯＮ信号が発せられる。ＣＰＵ１００は、このＳ１ＯＮ信号を検知して、ＡＥ、ＡＦ動作を実行する。すなわち、ＣＰＵ１００は、被写体にピントが合うように、図示しないレンズ駆動部を制御するとともに、被写体の明るさを測定し、適正露出となるように絞り値とシャッタ速度を決定する。
【００２７】
この後、レリーズボタンが全押しされると、ＣＰＵ１００にＳ２ＯＮ信号が発せられ、ＣＰＵ１００は、このＳ２ＯＮ信号を検知して、記録動作を実行する。すなわち、レリーズボタンの半押し時に決定した絞り値、シャッタ速度となるように、図示しない絞り駆動部及びＣＣＤ１０８の電子シャッタを制御し、画像の取り込みを行なう。
【００２８】
こうしてレリーズボタンの全押し操作に応動して、記録用の画像データの取り込みが開始され、ＣＣＤ１０８から出力された１コマ分の画像信号が、アナログ信号処理部１１０を介してＲＡＭ１０４に取り込まれる。ＲＡＭ１０４に取り込まれた画像信号は、画像信号処理部１１２で所定の信号処理が施された後、再びＲＡＭ１０４に格納され、画像記録部１１６に送られる。
【００２９】
画像記録部１１６は、圧縮伸張処理回路を含み、圧縮伸張処理回路はＣＰＵ１００からのコマンドに従って入力された画像データをＪＰＥＧその他の所定の形式に従って圧縮する。圧縮された画像データは、メディアインターフェース（メディアＩ／Ｆ）１１８を介して所定フォーマットの画像ファイル（例えばＥｘｉｆ（Exchangeable Image File Format）形式の画像ファイル）として記録メディア１２０に記録される。なお、記録メディア１２０としては、ｘＤピクチャーカード、スマートメディア、コンパクトフラッシュ、磁気ディスク、光ディスク、光磁気ディスク、メモリスティックなどのカメラボディに対して着脱可能なリムーバブルメディアの他、カメラボディに内蔵された記録メディア（内部メモリ）であってもよい。
【００３０】
モードスイッチにて再生モードが選択されると、記録メディア１２０に記録された画像の再生が可能になる。モードスイッチが再生モードに設定されると、記録メディア１２０に最後に記録された画像ファイルの画像データを読み出す。読み出された画像データは、画像記録部１１６にて所要の伸張処理が施されたのち、表示部１１４を介してモニタ３０に出力される。これにより、記録メディア１２０に記録された画像の閲覧が可能になる。
【００３１】
画像のコマ送りは、十字ボタンで行なわれ、十字ボタンの右キーが押されると、次の画像ファイルが記録メディア１２０から読み出され、モニタ３０に再生表示される。また、十字ボタンの左キーが押されると、前の画像ファイルが記録メディア１２０から読み出され、モニタ３０に再生表示される。
【００３２】
カメラ１０のカメラボディにはレンズ１４の撮影範囲と同等の範囲に指向性を有するアンテナ１３０を備えたＩＣタグセンサ１２１が設けられており、１又は複数の被写体３ａ、ｂ、ｃ・・（まとめて被写体３であらわす）にそれぞれ取り付けられたＩＣタグ２（図２では一例として３つのＩＣタグ２ａ〜２ｃ）から送信された無線信号を受信してこれを検知する。ＩＣタグセンサ１２１がレンズ１４後方のＩＣタグ２からの無線信号を受信しないように、ＩＣタグセンサ１２１のレンズ１４後方側に電磁シールドフィルムなどを貼付してもよい。ＲＳＳＩ回路１２３は、ＩＣタグセンサ１２１の受信した無線信号の強度を検出してＣＰＵ１００に出力する。
【００３３】
ＩＣタグリーダ１２３は、ＣＰＵ１００がＳ２ＯＮ信号を検知したことに応じ、ＩＣタグセンサ１２１の受信した無線信号からＩＣタグ２に予め記録されている被写体ＩＤを読み出してＣＰＵ１００に出力する。被写体ＩＤを読み出した回数は、被写体の撮影回数として、被写体ＩＤに対応づけられてＲＡＭ１０４に記憶される。即ち、同一の被写体ＩＤを読み取る度に、その被写体ＩＤに対応する撮影回数をインクリメントして記憶する。
【００３４】
測距部１２４はピントを合わせた被写体までの距離を測定する手段であり、例えば、ＣＣＤ１０８から出力された信号中の高周波成分に基づいて被写体像の鮮鋭度を示すＡＦ評価値（焦点評価値）を検出し、この焦点評価値が極大となるようにレンズの合焦位置を設定した際のレンズ位置から被写体像までの距離を算出する手段である。あるいは、ピントを合わせた被写体に光を発して被写体に反射して戻ってきた光を受光し、発光部と受光部のなす角から被写体までの距離を検出する三角測距センサなどであってもよい。ＣＰＵ１００は、被写体３までの距離の遠近とＩＣタグ２からの無線通信強度の強弱を比較することで、被写体の位置とＩＣタグ２から読み取られた情報との対応を認識する。
【００３５】
レンズ１４及びアンテナ１３０はそれぞれ同等の指向性を有しており、レンズ１４の撮像範囲と無線信号受信範囲とを同等にしておく。
【００３６】
図３は、被写体の撮影回数がＲＡＭ１０４に記憶された様子を概念的に示す。ＲＡＭ１０４には、各被写体ＩＤと撮影回数とが対応づけられて記憶されている。さらに、操作部１０６から任意に設定された各被写体の目標撮影回数を、各被写体ＩＤと対応づけて記憶してもよい。被写体ＩＤの異同に関係なく目標撮影回数を一律に設定・記憶してもよい。      
【００３７】
そして、各被写体を目標撮影回数だけ撮影したか否かを確認できるようにするため、ＣＰＵ１００は、目標撮影回数から撮影回数を減算した残り撮影回数を算出し、モニタ３０に残り撮影回数を表示する。この際、ＣＰＵ１００は、認識した被写体３の位置とＩＣタグから読み取られた情報との対応に従い、被写体３の表示位置にその被写体の残り撮影回数を表示する。アンテナ１３０が指向性を有していれば、ＩＣタグ３からの通信電波の到来方向を推定し、この到来方向に従った被写体の推定位置に残り撮影回数を表示してもよい。
【００３８】
図４は残り撮影回数の表示例を示す。この図に示すように、モニタ３０には、各被写体３に対応する残り撮影回数４が表示されている。残り撮影回数は、被写体３の表示位置の近傍に表示されており、どの被写体をあとどれだけ撮影すれば目標撮影回数に達するかを撮影者が一目瞭然に把握できる。モニタ３０には各被写体ＩＤに対応する撮影回数を単独で、あるいは残り撮影回数とともに表示してもよい。図５は被写体３に対応する撮影回数５の表示例を示す。
【００３９】
再び図２を参照すると、カメラ１０は、各々近距離無線（たとえば，２．４ＧＨｚの帯域を用いる無線伝送方式）の通信インターフェイス１２２を備えており，互いに近距離無線の範囲内にあれば通信可能である。各カメラ１０の通信インターフェイス１２２を介して各カメラ１０とプリンタ２０とを接続したプリントシステムを構築してもよい。ＲＡＭ１０４に記憶された被写体ＩＤに対応する撮影回数は、通信インターフェイス１２２によって他のカメラ１０に無線送信される。あるカメラ１０が他のカメラ１０から被写体ＩＤに対応する撮影回数を受信すると、その被写体ＩＤに対応する撮影回数を受信した撮影回数に更新して記憶する。このため、ＩＣタグ２を取り付けた被写体３を追うカメラ１０が複数存在しても、各カメラ１０の撮影回数を共有でき、どのカメラ１０でも各カメラ１０によって撮影された回数の総計を把握できる。
【００４０】
なお、カメラ１０がＣＣＤ１０８などの撮像素子を備えない銀塩カメラであっても、ＣＰＵ１００、アンテナ１３０、ＩＣタグセンサ１２１、ＩＣタグリーダ１１３、ＲＯＭ１０２、ＲＡＭ１０４を備えていれば、ＩＣタグ２からの無線信号を受信して撮影回数を記憶することが可能である。表示部１１４及びモニタ３０をさらに備えていれば、撮影回数を表示することもでき、通信インターフェイス１２２を備えていれば、撮影回数を他のカメラ１０との間で送受信して共有できる。操作部１０６を備えていれば、目標撮影回数を設定でき、残り撮影回数をモニタ３０に表示させることもできる。
【００４１】
［デジタルカメラの実行する処理］
以下、図６のフローチャートに基づき、カメラ１０を用いた被写体３の撮影の手順を説明する。
【００４２】
Ｓ１では、撮影に先立ち、被写体３に、被写体ＩＤを記憶したＩＣをタグ２取り付ける。被写体が人物であれば、ＩＣタグ２をピンなどで直接衣服に取り付けるとよい。あるいは、ＩＣタグ２を名札、ワッペンなどに埋め込んで衣服に取り付けてもよい。被写体がその他の物体、例えば高速で走行する自動車であれば、ねじ止めや接着など脱落しないように被写体３にＩＣタグ２を取り付けてもよい。
【００４３】
Ｓ２では、各被写体ＩＤに対応した目標撮影回数を操作部１０６から設定させる。被写体ＩＤの異同に関係なく目標撮影回数を一律に設定・記憶してもよいが、特定の被写体を沢山撮影したい場合、逆に特定の被写体の撮影回数を少なくする場合は、各被写体ＩＤに対応した個別の撮影回数を設定する方が便宜である。
【００４４】
Ｓ３では、ＣＰＵ１００にＳ２ＯＮ信号が発せられると、ＣＰＵ１００は、このＳ２ＯＮ信号を検知して、記録動作を実行する。記録された画像を、通信インターフェイス１２２を介して接続されたプリンタ２０に送信し、その場で画像をプリントするサービスを提供してもよい。一方、ＣＰＵ１００は、Ｓ２ＯＮ信号を検知すると、ＩＣタグ２と通信して被写体ＩＤを読み取り、被写体ＩＤを読み取った回数を被写体３の撮影回数としてＲＡＭ１０４に記憶する。
【００４５】
Ｓ４では、各被写体ＩＤに対応する撮影回数をモニタ３０に表示する。モニタ３０には残り撮影回数を表示してもよい。残り撮影回数が０の場合、残り撮影回数を表示する代わりに、目標撮影回数に到達した旨の警告メッセージを表示するか、図示しないスピーカから警告音声を発生させてもよい。
【００４６】
なお、レリーズボタンが全押しされるごとに、ステップＳ３及び４が繰り返される。
【００４７】
以上説明した通り、カメラ１０のＲＡＭ１０４には、各被写体を撮影した回数が記憶され、モニタ３０には撮影回数が表示されるため、どの被写体を何回撮影したかを撮影者が容易に把握でき、所望の被写体を所望の回数確実に撮影できる。
【図面の簡単な説明】
【００４８】
【図１】本発明の好ましい実施形態に係るカメラの使用状態を示した図
【図２】本発明の好ましい実施形態に係るカメラのブロック構成図
【図３】被写体ＩＤと撮影回数とが対応して記憶された状態を概念的に示す図
【図４】残り撮影回数の表示例を示す図
【図５】撮影回数の表示例を示す図
【図６】カメラを用いた被写体の撮影手順を説明するフローチャート
【符号の説明】
【００４９】
１０：カメラ、１２１：ＩＣタグセンサ、１１３：ＩＣタグリーダ、１２２：通信インターフェース、１２３：ＲＳＳＩ回路
【図１】
2006174010.tif 000003
【図２】
2006174010.tif 000004
【図３】
2006174010.tif 000005
【図４】
2006174010.tif 000006
【図５】
2006174010.tif 000007
【図６】
2006174010.tif 000008